(57)【特許請求の範囲】
【請求項１】
建物の屋内空間内に、吹出型空調装置と、熱放射パネルとを備えており、
前記吹出型空調装置は、前記屋内空間の天井に設置されており、
前記熱放射パネルは、前記屋内空間の壁の上部に設置されており、
前記吹出型空調装置と前記熱放射パネルとは、前記吹出型空調装置から吹き出される温調空気が、前記熱放射パネルの熱放射を行うための表面にあたる配置関係とされ、
前記熱放射パネルは、前記表面が前記屋内空間の中心部に向けて傾斜されていることを特徴とする温調システム。
【請求項２】
前記吹出型空調装置は、前記天井内に埋め込まれる天井埋込型のものであることを特徴とする請求項１に記載の温調システム。
【請求項３】
前記吹出型空調装置及び前記熱放射パネルは、ヒートポンプ式のものであることを特徴とする請求項１又は２に記載の温調システム。
【請求項４】
前記吹出型空調装置及び前記熱放射パネルは、共通のヒートポンプ装置に接続されていることを特徴とする請求項３に記載の温調システム。
【請求項５】
前記吹出型空調装置は、前記熱放射パネルの運転立ち上がり時の所定時間のみ温調空気を吹き出すように制御されることを特徴とする請求項１乃至４のいずれか１項に記載の温調システム。
【請求項６】
請求項１乃至５のいずれか１項に記載の温調システムを備えていることを特徴とする建物。
【発明の詳細な説明】
【技術分野】
【０００１】
本発明は、建物の温調システム、及びこの温調システムを備えた建物に関するものである。
【背景技術】
【０００２】
従来から、建物内の屋内空間を、吹出型空調装置と、熱放射パネルとで暖房や冷房により温調する温調システムは知られ、実施に供されている（例えば特許文献１等を参照）。
【先行技術文献】
【特許文献】
【０００３】
【特許文献１】特開２０１４−９５４９０号公報
【発明の概要】
【発明が解決しようとする課題】
【０００４】
しかしながら、上記した特許文献１のような従来の温調システムでは、床面側から天井面側にかけての高さが大きく、厚さも大きい熱放射パネルが用いられるため、熱放射パネルが屋内空間内の人が移動したり、家具等を置いたりするための有効スペースをかなり占有してしまうという問題があった。
【０００５】
そこで、本発明は、熱放射パネルが屋内空間内の有効スペースを占有することがない温調システム、及びこの温調システムを備えた建物を提供することを目的としている。
【課題を解決するための手段】
【０００６】
前記目的を達成するために、本発明の温調システムは、建物の屋内空間内に、吹出型空調装置と、熱放射パネルとを備えており、前記吹出型空調装置は、前記屋内空間の天井又は壁の上部に設置されており、前記熱放射パネルは、前記屋内空間の天井又は壁の上部に設置されており、前記吹出型空調装置と前記熱放射パネルとは、前記吹出型空調装置から吹き出される温調空気が、前記熱放射パネルの熱放射を行うための表面にあたる配置関係とされていることを特徴とする。
【０００７】
ここで、前記吹出型空調装置は、前記天井内に埋め込まれる天井埋込型のものであるとよい。
【０００８】
また、前記吹出型空調装置及び前記熱放射パネルは、ヒートポンプ式のものであるとよい。
【０００９】
さらに、前記吹出型空調装置及び前記熱放射パネルは、共通のヒートポンプ装置に接続されているとよい。
【００１０】
また、前記吹出型空調装置は、前記熱放射パネルの運転立ち上がり時の所定時間のみ温調空気を吹き出すように制御されるとよい。
【００１１】
本発明の建物は、上記した本発明の温調システムを備えていることを特徴とする。
【発明の効果】
【００１２】
このような本発明の温調システムは、建物の屋内空間内に、吹出型空調装置と、熱放射パネルとを備えており、吹出型空調装置は、屋内空間の天井又は壁の上部に設置されており、熱放射パネルは、屋内空間の天井又は壁の上部に設置されており、吹出型空調装置と熱放射パネルとは、吹出型空調装置から吹き出される温調空気が、熱放射パネルの熱放射を行うための表面にあたる配置関係とされた構成とされている。
【００１３】
上記した構成なので、熱放射パネルは、屋内空間の天井又は壁の上部に設置されているため、熱放射パネルが屋内空間内の有効スペースを占有することがない。
そのうえ、吹出型空調装置から吹き出される温調空気が、熱放射パネルの熱放射を行うための表面にあたるため、熱放射パネルからの放熱が促進されて放熱量が大きくなり、屋内空間の温調の立ち上がり時間を短縮することができる。
【００１４】
ここで、吹出型空調装置は、天井内に埋め込まれる天井埋込型のものである場合は、吹出型空調装置が屋内空間に露出しないので、意匠的外観が良い。
【００１５】
また、吹出型空調装置及び熱放射パネルは、ヒートポンプ式のものである場合は、ヒートポンプを用いるので、省エネルギー性能に優れたものとすることができる。
【００１６】
さらに、吹出型空調装置及び熱放射パネルは、共通のヒートポンプ装置に接続されている場合は、共通のヒートポンプ装置を用いるので、制御構造を簡易なものとすることができる。
【００１７】
また、吹出型空調装置は、熱放射パネルの運転立ち上がり時の所定時間のみ温調空気を吹き出すように制御される場合は、熱放射パネルの運転立ち上がり時の所定時間のみ温調空気を吹き出すので、気流感による不快感がほとんど無くて済む。
【００１８】
このような本発明の建物は、上記した本発明の温調システムを備えた構成とされている。  
【００１９】
上記した構成なので、上記した本発明の温調システムの効果を奏する建物とすることができる。
【図面の簡単な説明】
【００２０】
【図１】実施例の温調システムを備えた建物の概略構成を示す説明図である。
【図２】実施例の温調システムにおいて、熱放射パネルが運転立ち上がり時の状態を示す説明図である。
【図３】実施例の温調システムにおいて、熱放射パネルの運転立ち上がり後の状態を示す説明図である。
【図４】他の実施例の温調システムを備えた建物の概略構成を示す説明図である。
【発明を実施するための形態】
【００２１】
以下、本発明を実施するための形態を、図面に示す実施例に基づいて説明する。
【実施例】
【００２２】
先ず、実施例の構成について説明する。
図１は、実施例の温調システムを備えた建物１の概略構成を示している。
【００２３】
この建物１は、基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
そして、この天井部１ｅと外壁部１ｄとに囲まれる空間は、床としての床部１ａによって床下空間２と居室などの屋内空間としての床上空間３とが区切られている。
【００２４】
ここで、屋内空間としての床上空間３内の天井の略中央には、天井埋込型の吹出型空調装置としてのエアコンディショナー４が設置されている。
また、床上空間３内の左右の壁の上部には、熱放射パネル５がそれぞれ設置されている。
なお、これら熱放射パネル５，５の表面は、特に床上空間３の中央部がより重点的に温調されるように床上空間３の中心部に向けて傾斜させている。
【００２５】
また、吹出型空調装置としてのエアコンディショナー４及び熱放射パネル５は、ヒートポンプ式のものであり、建物１の屋外に設置した共通のヒートポンプ装置６に、熱媒循環管４１，５１をそれぞれ介して接続されている。
なお、熱媒循環管４１，５１は、実際には、往路管と復路管とがあるが、見易いようにそれぞれ１本の管のみで示した。
また、熱媒循環管４１内の熱媒には、代替フロンが用いられ、熱媒循環管５１内の熱媒には、水が用いられている。
【００２６】
さらに、図示は省略したが、エアコンディショナー４には、温調空気（暖気又は冷気）が横方向に吹き出すように吹出口が設けられている。
【００２７】
そして、コントローラ７を操作して運転を開始させると、図２に示したように、熱放射パネル５，５の運転立ち上がり時の所定時間（例えば１０分間）のみ温調空気（暖気又は冷気）を吹き出し、熱放射パネル５，５の表面にあたるように、図示省略の制御部により制御される。
【００２８】
その後、図３に示したように、屋内空間としての床上空間３は、熱放射パネル５，５から放射される熱（温熱又は冷熱）のみにより温調（暖房又は冷房）される。
【００２９】
なお、この実施例の温調システムは、吹出型空調装置としてのエアコンディショナー４の気流感を好む人のニーズにもこたえるように、エアコンディショナー４のみにより温調する運転モードと、エアコンディショナー４による温調と熱放射パネル５，５による温調とを複合した運転モードも備えている。
これらの運転モードは、コントローラ７を操作することにより切り替えることができる。
【００３０】
次に、実施例の作用効果について説明する。
このような実施例の温調システムは、建物１の屋内空間としての床上空間３内に、吹出型空調装置としてのエアコンディショナー４と、熱放射パネル５，５とを備えており、エアコンディショナー４は、床上空間３の天井に設置されており、熱放射パネル５，５は、床上空間３の壁の上部に設置されており、エアコンディショナー４と熱放射パネル５，５とは、エアコンディショナー４から吹き出される温調空気が、熱放射パネル５，５の熱放射を行うための表面にあたる配置関係とされた構成とされている。
【００３１】
上記した構成なので、熱放射パネル５，５は、屋内空間としての床上空間３の壁の上部に設置されているため、熱放射パネル５，５が床上空間３内の有効スペースを占有することがない。
そのうえ、吹出型空調装置としてのエアコンディショナー４から吹き出される温調空気が、熱放射パネル５，５の熱放射を行うための表面にあたるため、熱放射パネル５，５からの放熱が促進されて放熱量が大きくなり、屋内空間としての床上空間３の温調の立ち上がり時間を短縮することができる。
【００３２】
ここで、吹出型空調装置としてのエアコンディショナー４は、天井内に埋め込まれる天井埋込型のものである。
このため、吹出型空調装置としてのエアコンディショナー４が屋内空間としての床上空間３にほとんど露出しないので、意匠的外観が良い。
【００３３】
また、吹出型空調装置としてのエアコンディショナー４及び熱放射パネル５，５は、ヒートポンプ式のものである。
このため、ヒートポンプを用いるので、省エネルギー性能に優れたものとすることができる。
【００３４】
さらに、吹出型空調装置としてのエアコンディショナー４及び熱放射パネル５，５は、共通のヒートポンプ装置６に接続されている。
このため、共通のヒートポンプ装置６を用いるので、制御構造を簡易なものとすることができる。
【００３５】
また、吹出型空調装置としてのエアコンディショナー４は、熱放射パネル５，５の運転立ち上がり時の所定時間のみ温調空気を吹き出すように制御される。
このため、熱放射パネル５，５の運転立ち上がり時の所定時間のみ温調空気を吹き出すので、気流感による不快感がほとんど無くて済む。
【００３６】
このような実施例の建物１は、上記した実施例の温調システムを備えた構成とされている。  
【００３７】
上記した構成なので、上記した実施例の温調システムの作用効果を奏する建物とすることができる。
【００３８】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００３９】
例えば、上記した実施例では、吹出型空調装置としてのエアコンディショナー４を天井に埋め込んで設置し実施したが、これに限定されず、天井に吊って設置し実施してもよいし、壁の上部に設置し実施してもよい。
すなわち、吹出型空調装置としてのエアコンディショナー４と熱放射パネル５，５とが、エアコンディショナー４から吹き出される温調空気が、熱放射パネル５，５の熱放射を行うための表面にあたる配置関係とされていればよい。
【００４０】
また、上記した実施例では、熱放射パネル５，５を壁の上部に設置して実施したが、これに限定されず、天井に設置して実施してもよい。
【００４１】
さらに、上記した実施例では、説明が簡単となるように、熱放射パネル５を、左右の壁の上部に１枚ずつ設置して実施したが、これに限定されず、実際には、必要な枚数を設置して実施される。
【００４２】
また、上記した実施例では、比較的広い屋内空間としての床上空間３に実施する場合を示したが、より狭い床上空間３では、図４に示したように、片側のみに熱放射パネル５を設置して実施してもよい。
【符号の説明】
【００４３】
１      建物
１ａ    床部
１ｂ    基礎底盤コンクリート
１ｃ    基礎側壁コンクリート
１ｄ    外壁部
１ｅ    天井部
２      床下空間
３      床上空間（屋内空間）
４      エアコンディショナー（吹出型空調装置）
４１    熱媒循環管
５      熱放射パネル
５１    熱媒循環管
６      ヒートポンプ装置
７      コントローラ
【図１】
0006581458.tif 000002
【図２】
0006581458.tif 000003
【図３】
0006581458.tif 000004
【図４】
0006581458.tif 000005